(57)【要約】【課題】建築物の無型枠基礎構造体において、現場施工前の搬送が容易に行え、施工時に外側壁と内側壁の間の幅寸法を任意に変更でき、また、容易に開口部を形成できる。【解決手段】コンクリート基礎ブロック３は、背高の外側壁３ａと底面壁３ｃとから成るＬ字型のコンクリート基礎ブロックＬと、背低の内側壁３ｂから成るＩ字型のコンクリート基礎ブロックＩとを有し、Ｌ字型及びＩ字型の部材に分解できるので、搬送時に嵩張らない。コンクリート基礎ブロックＩは、底面壁３ｃの上面の溝３１ａ、３１ｂの任意の溝に下端部を嵌合することにより、外側壁３ａと内側壁３ｂとの間の幅寸法を任意に変更できる。また、コンクリート基礎ブロックＩは、部分的に形成された肉薄部に機械的衝撃を与えることにより脱落して開口部３２を形成することが可能であり、この開口部３２を通して、連結されたコンクリート基礎ブロック３の内周領域に鉄筋を組み付けることができる。【選択図】図２
2006342601.tif 000002
【特許請求の範囲】
【請求項１】
外側壁と内側壁と底面壁とを有する所定長さのコンクリート基礎ブロックから成る建築物の無型枠基礎構造体において、
前記外側壁と前記底面壁とを成す断面Ｌ字状にコンクリートにより形成されたＬ字型部材と、
前記内側壁を成す断面Ｉ字状にコンクリートにより形成されたＩ字型部材と、を備え、
前記Ｌ字型部材の底面壁の上面に所定深さの溝が設けられ、
前記Ｉ字型部材の下端部を前記溝に嵌合させることができるようにしたことを特徴とする建築物の無型枠基礎構造体。
【請求項２】
前記溝が適宜の間隔において複数設けられ、
前記Ｉ字型部材を任意の溝に嵌合させることができるようにしたことを特徴とする請求項１に記載の建築物の無型枠基礎構造体。
【請求項３】
前記Ｉ字型部材には、部分的に肉薄部を形成しておき、この肉薄部は、該部に機械的衝撃を与えることにより、脱落して開口を形成することができるようにしたことを特徴とする請求項１又は請求項２に記載の建築物の無型枠基礎構造体。
【発明の詳細な説明】
【技術分野】
【０００１】
本発明は、コンクリート基礎ブロックから成る建築物の基礎構造体に関する。
【背景技術】
【０００２】
従来、建築物の基礎構造は、基礎地盤に対して建築物の土台が載置される領域に沿って所定深さの溝が掘削され、かつ、その溝で囲まれた内方の地盤面もグランドレベルよりも所定深さ（溝よりも浅い）に掘削され、溝及びその内方の地盤上に砕石及び／又は栗石が転圧され、その上面に、溝の上方とその他位置に縦配筋及びスラブ配筋が組まれ、溝の位置に組まれた縦配筋の両側面近傍に沿って仮枠を配設し、これら縦配筋を埋め込むようにコンクリートが打たれ、さらには、仮枠を取り外した後、スラブ配筋を埋め込むようにコンクリートが打たれたものとされている。
【０００３】
このような従来の建築物の基礎構造においては、コンクリートを打つために配設される仮枠設置に多くの手間と時間を要していた。この問題を解消するために、本出願人は、コンクリートを打つために配設される仮枠設置の手間と時間を削減し、工数の短期化及び低コスト化が図れる建築物の基礎構造体を用いた基礎構造及びその施工法を先に提案した（特許文献１参照）。
【０００４】
しかし、上記特許文献１に記載されたような建築物の基礎構造にあっては、外側部と内側部と底面部とが固定されたコンクリート基礎ブロックからなるため、分解することができず、搬送時に嵩張るという問題があるとともに、底面部の幅が固定されているので任意に変更できないという問題もある。また、建築物の基礎構造が基礎構造体によって囲まれているため、建築物の外周囲から建築物の床下にパイプ等の配設が行えないという問題がある。
【特許文献１】特開２００３−９６７９１号公報
【発明の開示】
【発明が解決しようとする課題】
【０００５】
本発明は、上述した問題点を解決するためになされたものであり、施工現場への搬送時に嵩張らずに搬送が容易に行え、組立て時に外側壁と内側壁の間の幅寸法を任意に変更可能であり、また、容易に開口部を形成できる建築物の無型枠基礎構造体を提供することを目的とする。
【課題を解決するための手段】
【０００６】
上記目的を達成するために請求項１の発明は、外側壁と内側壁と底面壁とを有する所定長さのコンクリート基礎ブロックから成る建築物の無型枠基礎構造体において、前記外側壁と前記底面壁とを成す断面Ｌ字状にコンクリートにより形成されたＬ字型部材と、前記内側壁を成す断面Ｉ字状にコンクリートにより形成されたＩ字型部材と、を備え、前記Ｌ字型部材の底面壁の上面に所定深さの溝が設けられ、前記Ｉ字型部材の下端部を前記溝に嵌合させることができるものである。
【０００７】
請求項２に記載の発明は、前記溝が適宜の間隔において複数設けられ、前記Ｉ字型部材を任意の溝に嵌合させることができる。
【０００８】
請求項３に記載の発明は、前記Ｉ字型部材には、部分的に肉薄部を形成しておき、この肉薄部は、該部に機械的衝撃を与えることにより、脱落して開口を形成することができるものである。
【発明の効果】
【０００９】
請求項１の発明によれば、Ｌ字型部材とＩ字型部材とに分解できるので、工事現場まで搬送する時に嵩張らず、容易に搬送が行え、施工現場では従来の型枠を必要とすることなく基礎構造体を施工完成することができる。
【００１０】
請求項２の発明によれば、Ｉ字型部材を任意の溝に嵌合できるので、外側壁と内側壁との幅寸法を任意に変更することができる。
【００１１】
請求項３の発明によれば、肉薄部に械的衝撃を与えることにより開口を形成することができるので、この開口部を介して基礎構造体が連結されて包囲する内方側からＬ字型部材とＩ字型部材との間に亘って鉄筋を組み込んだり、配管又はパイプを配設することが容易にできる。
【発明を実施するための最良の形態】
【００１２】
以下、本発明の第１の実施形態に係る建築物の無型枠基礎構造体について説明する。図１は、本発明に係る無型枠基礎構造体が適用されて完成した逆ベタ基礎構造の断面を示す。施工者は、基礎地盤１に対して建築物の床面形状の外周囲近傍に合わせてグランドレベルＧＬより所定深さ（本例では６２０ｍｍ程度）、ほぼ全面的に掘削する。この掘削した領域内に、掘削した土砂にセメント系地盤改良材（セメント固化材）を付加して埋め戻して転圧して改良地盤２ａを形成する。地盤改良材は、その他の土質安定処理材であってもよい。この改良地盤２ａの上面に、無型枠で所定長さ（例えば、１５００ｍｍ）のコンクリート基礎ブロック３（建築物の無型枠基礎構造体）を複数個長さ方向に連結して組み付ける。
【００１３】
このコンクリート基礎ブロック３は、背高（例えば、６５０ｍｍ）の外側壁３ａと底面壁３ｃとから成るＬ字型のコンクリート基礎ブロックＬ（Ｌ字型部材）と、背低（例えば、４５０ｍｍ）の内側壁３ｂから成るＩ字型のコンクリート基礎ブロックＩ（Ｉ字型部材）とを有しており、コンクリート基礎ブロックＬの底面壁の上面には、所定深さ（例えば、２５ｍｍ）の溝３１ａ、３１ｂが設けられるとともに、ここでは、溝３１ｂに、Ｉ字型のコンクリート基礎ブロックＩの下端部が嵌合している。なお、Ｉ字型のコンクリート基礎ブロックＩの下端部は、溝３１ａに嵌合されてもよく、施工時に任意の位置に嵌合することができる。
【００１４】
次に、前記連結されたコンクリート基礎ブロック３により囲まれた内方であって、改良地盤２ａの内方面の地盤上にも内側壁３ｂの高さまで、上述と同様に改良地盤２ｂを生成する。この改良地盤２ｂの厚みは６５０ｍｍ程度とし、グランドレベルＧＬより４００ｍｍ程度の高さとする。コンクリート基礎ブロック３の外側壁３ａの上端は、グランドレベルＧＬより４００ｍｍ程度の高さになるようにしている。
【００１５】
上記により連結されたコンクリート基礎ブロック３の内方の改良地盤２ｂ上に外側壁３ａの高さまで鉄筋コンクリートスラブ４を打つ。この鉄筋コンクリートスラブ４の水平上面がグランドレベルＧＬより所定必要高さ（４００ｍｍ程度）位置になるようにする。
【００１６】
こうして施工された無型枠基礎構造体は、デッキ構造となり、鉄筋コンクリートスラブ４上に建築物を載せることができる。図１には、鉄筋コンクリートスラブ４上に建築物の土台１１を戴置してアンカー（図示なし）で固定し、この土台１１上に柱・壁１２を立設している様子を示す。なお、コンクリート基礎ブロック３の連結には、連結金具（図示なし）使用する。
【００１７】
上記実施形態においては、Ｉ字型のコンクリート基礎ブロックＩの下端部を、Ｌ字型のコンクリート基礎ブロックＬの底面壁の任意の溝３１ａ、３１ｂに嵌合することができるので、コンクリート基礎ブロック３の組立て時に、外側壁３ａと内側壁３ｂとの間の幅寸法を任意に変更することができる。また、コンクリート基礎ブロック３は、工事現場で施工される前には、Ｌ字型とＩ字型とに分解されているので、嵩張らずに搬送し易いものとなっている。
【００１８】
次に、本発明の第２の実施形態に係る建築物の無型枠基礎構造体について説明する。図２は、本発明に係る無型枠基礎構造体が適用されて完成したベタ基礎構造の断面を示す。施工者は、図１と同様に、基礎地盤１に対して建築物の床面形状の外周囲近傍に合わせて改良地盤２ａを形成し、この改良地盤２ａの上面に、無型枠で所定長さのコンクリート基礎ブロック３（建築物の無型枠基礎構造体）を複数個長さ方向に連結して組み付けている。
【００１９】
このコンクリート基礎ブロック３は、前述と同様の部材から構成されるが、Ｉ字型のコンクリート基礎ブロックＩは、Ｌ字型のコンクリート基礎ブロックＬの外側壁３ａと同じ背高となる形状に形成されている。ここでは、Ｉ字型のコンクリート基礎ブロックＩの下端部を溝３１ａに嵌合させて、外側壁３ａと内側壁３ｂの間の幅寸法を小さいものとしている。また、Ｉ字型のコンクリート基礎ブロックＩの側面部を打ち抜いて開口部３２が形成されており、連結されたコンクリート基礎ブロック３により囲まれた内方であって、改良地盤２ａの内方面の地盤上には、改良地盤２ｂが開口部３２の高さの中間位置程度まで生成されており、さらに、改良地盤２ｂ上には、鉄筋コンクリートスラブ４が打たれている。
【００２０】
図３は、このコンクリート基礎ブロック３のＩ字型のコンクリート基礎ブロックＩの正面と断面を示す。このＩ字型のコンクリート基礎ブロックＩは、部分的に、ここでは、下端部に複数個の肉薄部３３が形成されており、この肉薄部３３に機械的衝撃、例えば、ハンマーで衝撃を与えることにより、脱落して開口部３２を形成することが可能である。なお、肉薄部３３は、この例に限られず、例えば、高さ方向の中間部に適宜の間隔をおいて複数個、丸形状に形成してもよい。
【００２１】
上記実施形態においては、Ｉ字型のコンクリート基礎ブロックＩの側面部に開口部３２が形成可能なため、この開口部３２を通して、連結されたコンクリート基礎ブロック３の内周領域に鉄筋を組み込むことができ、コンクリート基礎ブロック３の内方の改良地盤２ｂ上に鉄筋コンクリートスラブ４を打つことができる。そのため、鉄筋コンクリートスラブ４を外側壁３ａの高さまで打つ必要がないので、改良地盤２ｂを内側壁３ｂの高さまで生成する必要がない。そのため、工期の短縮化及び低コスト化を図ることができる、
【００２２】
次に、本発明の第３の実施形態に係る建築物の無型枠基礎構造体について説明する。図３は、本発明に係る無型枠基礎構造体が適用されて完成した布基礎構造の断面を示す。施工者は、図１と同様に、基礎地盤１に対して建築物の床面形状の外周囲近傍に合わせて改良地盤２ａを形成し、この改良地盤２ａの上面に、無型枠で所定長さのコンクリート基礎ブロック３（建築物の無型枠基礎構造体）を複数個長さ方向に連結して組み付けている。
【００２３】
このコンクリート基礎ブロック３は、図２と同様に、Ｉ字型のコンクリート基礎ブロックＩの一部を打ち抜いて開口部３２を形成しており、連結されたコンクリート基礎ブロック３により囲まれた内方であって、改良地盤２ａの内方面の地盤上には、割栗石５が開口部３２の高さまで生成されており、さらに割栗石５の上には鉄筋コンクリートスラブ４が生成されている。
【００２４】
上記実施形態においては、基礎地盤１を改良して改良地盤２ａを生成するのと同時に、改良地盤２ａの内方面の地盤上に割栗石５を生成できるので、工期を短縮化及び低コスト化を図ることができる。また、いずれの上記実施形態においても、連結されたコンクリート基礎ブロック３のコーナー部には、コーナー用の平面視Ｌ型で、同様の形態の基礎ブロックを用いる。
【００２５】
なお、本発明は、上記各実施形態の構成に限られず、発明の趣旨を変更しない範囲で種々の変形が可能である。上記実施形態では、Ｌ字型のコンクリート基礎ブロックＬの底面壁３ｃに複数の溝３１ａ、３１ｂを設けたものを示したが、１つでも、又は、３つ以上設けたものであってもよい。但し、溝が１つだけの場合は、外側壁３ａと内側壁３ｂとの間の幅寸法は一定のものとなる。
【図面の簡単な説明】
【００２６】
【図１】本発明の第１の実施形態に係る建築物の基礎構造体を用いた基礎構造の断面図。
【図２】本発明の第２の実施形態に係る建築物の基礎構造体を用いた基礎構造の断面図。
【図３】（ａ）は同上の基礎構造体に係るＩ字型のコンクリート基礎ブロックの正面図、（ｂ）は（ａ）のＡ−Ａ線断面図。
【図４】本発明の第３の実施形態に係る建築物の基礎構造体を用いた基礎構造の断面図。
【符号の説明】
【００２７】
１  基礎地盤
２ａ  改良地盤
２ｂ  改良地盤
３  コンクリート基礎ブロック（基礎構造体）
３ａ  外側壁（Ｌ字型部材の一部）
３ｂ  内側壁（Ｉ字型部材）
３ｃ  底面壁（Ｌ字型部材の一部）
３１ａ  溝
３１ｂ  溝
３２  開口部
３３  肉薄部
４  鉄筋コンクリートスラブ
５  栗割石
１１  土台
１２  柱・壁
Ｌ  コンクリート基礎ブロック（Ｌ字型部材）
Ｉ  コンクリート基礎ブロック（Ｉ字型部材）
【図１】
2006342601.tif 000003
【図２】
2006342601.tif 000004
【図３】
2006342601.tif 000005
【図４】
2006342601.tif 000006